(57)【要約】【課題】冷凍食品等の加熱調理時、受け皿の熱歪による変形を防止して安全性の高い電気加熱調理器を提供する。【解決手段】前面に開口５１ａを有する調理室５１を形成する内筐体５０と、該開口５１ａを開閉する扉５２と、前記調理室５１内の上下に配された上、下ヒーター５３、５４と、前記上、下ヒーター５３、５４間に配された網５５と、前記網５５に載置される受け皿５６を有し、前記網５５に前記受け皿５６を戴置したとき、前記受け皿５６の後部上端を、前記網５５で、前記受け皿５６の前部上端を、前記扉５２でそれぞれ上方移動規制するようにしたもので、受け皿５６に熱歪が発生しても、受け皿５６に反りが発生することがなく、被調理物（図示せず）が飛散せず安全な電気加熱調理器を提供することができる。【選択図】図１
2011012912.tif 000002
【特許請求の範囲】
【請求項１】
前面に開口を有する調理室を形成する内筐体と、該開口を開閉する扉と、前記調理室内の上下に配された上、下ヒーターと、前記上、下ヒーター間に配された網と、前記網に載置される受け皿を有し、前記網に前記受け皿を戴置したとき、前記受け皿の後部上端を、前記網で、前記受け皿の前部上端を、前記扉でそれぞれ上方移動規制するようにした電気加熱調理器。
【発明の詳細な説明】
【技術分野】
【０００１】
本発明は、一般家庭用で使用されるオーブントースター等の受け皿を使用する電気加熱調理器に関するものである。
【背景技術】
【０００２】
従来、この種の電気加熱調理器は、受け皿を焼き網に直接載置して加熱し、調理後は、その受け皿を焼き網から取り外すのが一般的である（例えば、特許文献１参照）。
【０００３】
図４は、上記特許文献１に記載された従来の電気加熱調理器の横断面図である。図４において、従来の電気加熱調理器は、加熱室１０内に焼網１４を配すると共に、焼網１４上に、被調理物（図示せず）を入れた受け皿１５を載置して、上ヒーター１２及び下ヒーター１３で加熱する。調理後は受け皿１５を焼網１４から取り外す構成となっている。１６は、外郭、１７、１８は、脚、１１は、加熱室１０を形成する内筐体である。
【先行技術文献】
【特許文献】
【０００４】
【特許文献１】特開２００４−３４０４３６号公報（第７頁、第２図）
【発明の概要】
【発明が解決しようとする課題】
【０００５】
しかしながら、前記従来の電気加熱調理器の構成では、受け皿１５に冷凍品など冷たい被調理物を載せて加熱すると、受け皿１５の内面及び外面で大きな温度差が生じ、熱膨張の差で受け皿１５が変形し、被調理物を加熱室１０内に飛散させるという課題を有していた。
【０００６】
本発明は、前記従来の課題を解決するもので、受け皿の変形を防止して安全性の高い電気加熱調理器を提供することを目的とするものである。
【課題を解決するための手段】
【０００７】
前記従来の課題を解決するために、本発明の電気加熱調理器は、前面に開口を有する調理室を形成する内筐体と、該開口を開閉する扉と、前記調理室内の上下に配された上、下ヒーターと、前記上、下ヒーター間に配された網と、前記網に載置される受け皿を有し、前記網に前記受け皿を戴置したとき、前記受け皿の後部上端を、前記網で、前記受け皿の前部上端を、前記扉でそれぞれ上方移動規制するようにしたもので、受け皿に熱歪が発生しても、受け皿に反りが発生することがなく、被調理物が飛散せず安全な電気加熱調理器を提供することができる。
【発明の効果】
【０００８】
以上のように本発明の電気加熱調理器は、受け皿の前後の上端の上方への移動が、網及び扉で規制されるので、加熱調理時に受け皿が変形せず、これによって、被調理物の飛散が防止でき安全である。
【図面の簡単な説明】
【０００９】
【図１】本発明の第１の実施の形態における電気加熱調理器の扉閉止状態の横断面図
【図２】同電気加熱調理器の扉閉止状態の上面からの縦断面図
【図３】同電気加熱調理器の前面からの縦断面図
【図４】従来の電気加熱調理器の横断面図
【発明を実施するための形態】
【００１０】
第１の発明は、前面に開口を有する調理室を形成する内筐体と、該開口を開閉する扉と、前記調理室内の上下に配された上、下ヒーターと、前記上、下ヒーター間に配された網と、前記網に載置される受け皿を有し、前記網に前記受け皿を戴置したとき、前記受け皿の後部上端を、前記網で、前記受け皿の前部上端を、前記扉でそれぞれ上方移動規制するようにしたもので、受け皿に熱歪が発生しても、受け皿に反りが発生することがなく、被調理物が飛散せず安全な電気加熱調理器を提供することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における電気加熱調理器の扉閉止状態の横断面図、図２は、同電気加熱調理器の扉閉止状態の上面からの縦断面図、図３は、同電気加熱調理器の前面からの縦断面図である。
【００１３】
図１〜３において、５０は、前面に開口５１ａを有する調理室５１を形成する内筐体である。５２は、該調理室５１の開口５１ａを開閉する扉である。調理室５１内の上下には、上ヒーター５３、下ヒーター５４を配している。上・下ヒーター５３、５４間には、網５５を配し、網５５の一端は、扉５２に設けた金具５２ａに回動自在に軸支され、他端は、内筐体５０に設けた長穴５０ａ内を摺動する様にして取り付けている。５６は、受け皿で、網５５の上に戴置され、受け皿５６の後方は、網５５に固着して設けた網棒５５ａで上方への移動が規制され、受け皿５６の前方は、扉５２に設けられた金具５２ａで上方への移動が規制されて構成している。
【００１４】
本実施の形態では、網棒５５ａと、金具５２ａをそれぞれ一対設けて、受け皿５６の４コーナー部の上方への移動を規制するようにしている。
【００１５】
以上のように構成された本実施の形態における電気加熱調理器について、以下その動作、作用を説明する。
【００１６】
まず、受け皿５６に、被調理物（図示せず）を載せて網５５に載置後、扉５２を閉止すると、受け皿５６の後方は、網棒５５ａによって上方への移動が規制された状態でセットされ、受け皿５６の前方は、扉５２の金具５２ａによって上方への移動が規制された状態でセットされる。この状態で、通電を開始すると、上ヒーター５３、下ヒーター５４によって加熱される。受け皿５６に冷凍食品等の被調理物を載置して加熱すると、受け皿５６の下面は加熱により高温になり、内面は、冷凍食品で冷たく冷やされているので熱歪が生じ受け皿５６全体が大きく変形しようとするが、受け皿５６の４コーナー部は、網棒５５ａ及び金具５２ａで、受け皿５６の上方への移動が規制されているので、受け皿５６の変形が防止される構成と成る。
【００１７】
以上のように、本実施の形態によれば、受け皿５６が冷凍食品等の冷たい調理物を加熱するときでも、受け皿５６の変形を防止することが出来るので、加熱中に受け皿５６内の被調理物が、受け皿５６の変形で飛散することが無く、安全性の高い電気加熱調理器とすることができる。
【産業上の利用可能性】
【００１８】
以上のように、本発明にかかる電気加熱調理器は、網に載置した受け皿の上方への移動が、網及び扉で規制されるように構成されているので、加熱中の受け皿の変形を防止し、
調理物の飛散がない安全性の高いもので、フィッシュロースターやオ−ブン等の用途にも適用できる。
【符号の説明】
【００１９】
５０  内筐体
５１  調理室
５１ａ  開口
５２  扉
５２ａ  金具
５３  上ヒーター
５４  下ヒーター
５５  網
５５ａ  網棒
５６  受け皿
【図１】
2011012912.tif 000003
【図２】
2011012912.tif 000004
【図３】
2011012912.tif 000005
【図４】
2011012912.tif 000006